(57)【要約】【課題】  複雑な操作をすることなく、キーワードに関係する番組又は映像シーンをリアルタイムで把握することができるようにしたテレビジョン受信機及びコンピュータプログラムを提供する。【解決手段】  ＥＰＧ処理回路２５によりデマルチプレクサ１４からのＰＳＩ情報からＥＰＧ情報を抽出し、制御手段３６によりユーザーにより設定されたキーワードに関連し、且つ現在放送されている番組を上記のＥＰＧ情報から検索して、該当する番組のチャンネルを検索し、その検索されたチャンネルに基づいてチューナー１２による選局を行わせ、映像信号処理回路１６からの映像にキーワードに対応した参照画像が含まれていれば、少なくとも該当する番組のチャンネル情報を描画処理回路１８に出力して、チューナー１１からの映像とともに表示デバイス２１に表示させる。【選択図】  図１
2006080862.tif 000002
【特許請求の範囲】
【請求項１】
表示デバイスと、
チューナーと、
前記チューナーに対応して設けられ、少なくとも映像信号及びＰＳＩ情報を出力するデマルチプレクサと、
前記デマルチプレクサからの映像信号に基づいてフレーム画像を生成し、前記表示デバイスに表示させる描画処理回路と、
前記デマルチプレクサからのＰＳＩ情報からＥＰＧ情報を抽出するＥＰＧ処理回路と、
ユーザーにより設定されたキーワードに関連し、且つ現在放送されている番組を前記ＥＰＧ情報から検索し、該当する番組のチャンネル情報を前記描画処理回路に出力して、前記映像信号処理回路からの映像とともに前記表示デバイスに表示させる制御手段と
を備えたことを特徴とするテレビジョン受信機。
【請求項２】
表示デバイスと、
第１及び第２のチューナーと、
前記第１及び第２のチューナーにそれぞれ対応して設けられ、少なくとも映像信号及びＰＳＩ情報をそれぞれ出力する第１及び第２のデマルチプレクサと、
前記第１のデマルチプレクサからの映像信号に基づいてフレーム画像を生成し、前記表示デバイスに表示させる描画処理回路と、
前記第１又は第２のデマルチプレクサからのＰＳＩ情報からＥＰＧ情報を抽出するＥＰＧ処理回路と、
ユーザーにより設定されたキーワードに関連し、且つ現在放送されている番組を前記ＥＰＧ情報から検索して、該当する番組のチャンネルを検索し、その検索されたチャンネルに基づいて前記第２のチューナーによる選局を行わせ、前記第２のデマルチプレクサからの映像に前記キーワードに対応した参照画像が含まれていれば、少なくとも該当する番組のチャンネル情報を前記描画処理回路に出力して、前記第１のデマルチプレクサからの映像とともに前記表示デバイスに表示させる制御手段と
を備えたことを特徴とするテレビジョン受信機。
【請求項３】
表示デバイスと、
第１及び第２のチューナーと、
前記第１及び第２のチューナーにそれぞれ対応して設けられ、少なくとも映像信号及びＰＳＩ情報をそれぞれ出力する第１及び第２のデマルチプレクサと、
前記第１のデマルチプレクサからの映像信号に基づいてフレーム映像を生成し、前記表示デバイスに表示させる描画処理回路と、
前記第２のチューナーを調整して順次選局し、前記第２のデマルチプレクサからの映像に前記キーワードに対応した参照画像が含まれていれば、少なくとも該当する番組のチャンネル情報を前記描画処理回路に出力して、前記第１のデマルチプレクサからの映像とともに前記表示デバイスに表示させる制御手段と
を備えたことを特徴とするテレビジョン受信機。
【請求項４】
前記制御手段は、前記キーワードに対応した参照画像の画像データをネットワークを介してデータベースから自動的にダウンロードすることを特徴とする請求項２又は３記載のテレビジョン受信機。
【請求項５】
前記制御手段は、前記チャンネル情報とともに前記キーワードに対応したアイコンを前記表示デバイスに表示させることを特徴とする請求項２〜４の何れかに記載のテレビジョン受信機。
【請求項６】
請求項１〜５の何れかの制御手段をコンピュータにより実現することを特徴とするコンピュータプログラム。
【発明の詳細な説明】
【技術分野】
【０００１】
本発明は、テレビジョン受信機及びコンピュータプログラムに関し、特に、ユーザーにより設定されたキーワードに関連した番組の検索に関する。
【背景技術】
【０００２】
近年、テレビジョン放送のデジタル化、多チャンネル化に伴って膨大な映像が家庭を含めた社会に流通している。そこで、このような大量の番組映像の中からユーザーが希望する番組を検索してユーザーに情報を伝達する手段が必要になっている。
【０００３】
上記の問題点を解決する一つの方法として電子番組（ＥＰＧ）を利用したものがある。このＥＰＧにおいては、映像信号や音声信号とともに、放送局名、放送される番組の開始時刻、番組タイトル、その他各チャンネル（放送局）の情報等の電子番組情報が多重送信され、ユーザーはこれを利用して、新聞のテレビ欄を見なくても現在どのような番組が放送されているかを確認することができる。また、ユーザーが出演者等のキーワードを入力し、それを元にこれらの電子番組情報から番組検索を行う方法も広まっている（例えば特許文献１）。
【特許文献１】特開２００２−３６９０９３号公報
【発明の開示】
【発明が解決しようとする課題】
【０００４】
しかし、その方法では、ユーザーにとってキーワードに関係する番組を知ることができるが、実際にその番組の中でキーワードに関係する映像シーンがいつ放送されるかまでは知ることができず、また、そこに至るまでのユーザーの操作も煩雑であり、リアルタイム性が損なわれるという問題点があった。
【０００５】
本発明は、このような問題点を解決するためになされたものであり、複雑な操作をすることなく、キーワードに関係する番組又は映像シーンをリアルタイムで把握することができるようにしたテレビジョン受信機及びその一部の処理をコンピュータにより実現するためのコンピュータプログラムを提供することを目的とする。
【課題を解決するための手段】
【０００６】
本発明に係るテレビジョン受信機は、表示デバイスと、チューナーと、 前記チューナーに対応して設けられ、少なくとも映像信号及びＰＳＩ情報を出力するデマルチプレクサと、前記デマルチプレクサからの映像信号に基づいてフレーム画像を生成し、前記表示デバイスに表示させる描画処理回路と、前記デマルチプレクサからのＰＳＩ情報からＥＰＧ情報を抽出するＥＰＧ処理回路と、ユーザーにより設定されたキーワードに関連し、且つ現在放送されている番組を前記ＥＰＧ情報から検索し、該当する番組のチャンネル情報を前記描画処理回路に出力して、前記マルチプレクサからの映像とともに前記表示デバイスに表示させる制御手段とを備えたものである。本発明においては、ユーザーにより設定されたキーワードに関連し、且つ現在放送されている番組をＥＰＧ情報から検索し、該当する番組のチャンネル情報を表示デバイスに表示させるようにしたので、キーワードに関連する番組が現在放映されていることを把握することができる。
【０００７】
本発明に係るテレビジョン受信機は、表示デバイスと、第１及び第２のチューナーと、
前記第１及び第２のチューナーにそれぞれ対応して設けられ、少なくとも映像信号及びＰＳＩ情報をそれぞれ出力する第１及び第２のデマルチプレクサと、前記第１のデマルチプレクサからの映像信号に基づいてフレーム画像を生成し、前記表示デバイスに表示させる描画処理回路と、前記第１又は第２のデマルチプレクサからのＰＳＩ情報からＥＰＧ情報を抽出するＥＰＧ処理回路と、ユーザーにより設定されたキーワードに関連し、且つ現在放送されている番組を前記ＥＰＧ情報から検索して、該当する番組のチャンネルを検索し、その検索されたチャンネルに基づいて前記第２のチューナーによる選局を行わせ、前記第２のデマルチプレクサからの映像に前記キーワードに対応した参照画像が含まれていれば、少なくとも該当する番組のチャンネル情報を前記描画処理回路に出力して、前記第１のデマルチプレクサからの映像とともに前記表示デバイスに表示させる制御手段とを備えたものである。本発明においては、ユーザーにより設定されたキーワードに関連し、且つ現在放送されている番組をＥＰＧ情報から検索して、該当する番組のチャンネルを検索し、その検索されたチャンネルに基づいて第２のチューナーによる選局を行わせ、第２のデマルチプレクサからの映像に前記キーワードに対応した参照画像が含まれていれば、少なくとも該当する番組のチャンネル情報を描画処理回路に出力して、第１のマルチプレクサからの映像とともに前記表示デバイスに表示させるようにしており、ユーザーがＴＶを視聴中であっても、裏番組の映像の中から登録されたキーワードに関連する映像シーンを検索して放映中であることを表示デバイスに表示させるので、ユーザーは複雑な操作を行うことなく、希望する番組の映像シーンが現在放映されていることを知ることができ、所望の映像シーンを見逃す虞が無くなる。しかも、キーワードに関連し、且つ現在放送されている番組をＥＰＧ情報から検索して、該当する番組のチャンネルのみを検索するようにしたので、全てのチャネルを検索しないで検索時間の短縮化が可能になっている。
【０００８】
本発明に係るテレビジョン受信機は、表示デバイスと、第１及び第２のチューナーと、前記第１及び第２のチューナーにそれぞれ対応して設けられ、少なくとも映像信号及びＰＳＩ情報をそれぞれ出力する第１及び第２のデマルチプレクサと、前記第１のデマルチプレクサからの映像信号に基づいてフレーム画像を生成し、前記表示デバイスに表示させる描画処理回路と、前記第２のチューナーを調整して順次選局し、前記第２のデマルチプレクからの映像に前記キーワードに対応した参照画像が含まれていれば、少なくとも該当する番組のチャンネル情報を前記描画処理回路に出力して、前記第１のデマルチプレクサからの映像とともに前記表示デバイスに表示させる制御手段とを備えたものである。本発明においては、第２のチューナーにより順次選局して、第２のデマルチプレクサからの映像にキーワードに対応した参照画像が含まれていれば、少なくとも該当する番組のチャンネル情報を描画処理回路に出力して、前記第１のデマルチプレクサからの映像とともに前記表示デバイスに表示させるようにしており、ユーザーがＴＶを視聴中であっても、裏番組の映像の中から登録されたキーワードに関連する映像シーンを検索して放映中であることを表示デバイスに表示させるようにしたので、ユーザーは複雑な操作を行うことなく、希望する番組の映像シーンが現在放映されていることを知ることができ、所望の映像シーンを見逃す虞が無くなる。
【０００９】
本発明に係るテレビジョン受信機において、前記制御手段は、前記キーワードに対応した参照画像の画像データをネットワークを介してデータベースから自動的にダウンロードする。テレビジョン受信機にキーワードに関連する参照画像のデータが無くとも、外部からダウンロードすることにより、上記のキーワードに関連する映像の検索を行うことができる。また、データベースに参照画像のデータを登録するようにしたので、多種多様なキーワードに関連した参照画像を用いることができる。
【００１０】
本発明に係るテレビジョン受信機において、前記制御手段は、前記チャンネル情報とともに前記キーワードに対応したアイコンを前記表示デバイスに表示させる。本発明においては、キーワードに関連した番組の前記チャンネル情報を前記表示デバイスに表示させるようにしたので、該当する番組がどのチャンネルで放映されているかを把握することができる。また、そのときに、前記キーワードに対応したアイコンを表示させることにより、
どのような映像シーンが現在放映されているかを把握することが可能になっている。このことは、特に、キーワードを複数登録した場合に有効である。
【００１１】
本発明に係るコンピュータプログラムは、上記の制御手段をコンピュータにより実現するものである
【発明を実施するための最良の形態】
【００１２】
実施形態１．
図１は本発明の実施形態１に係るデジタル放送受信装置の構成を示すブロック図である。このデジタル放送受信装置１は、アンテナ１０、チューナー１１，１２、デマルチプレクサ１３，１４、映像信号処理回路１５，１６、音声信号処理回路１７、描画処理回路１８、フレームメモリ１９、映像出力回路２０、表示デバイス２１、音声出力回路２２及びスピーカー２３を備えている。このデジタル放送受信装置１は、更に、特徴抽出・比較・検出回路２４及びＥＰＧ処理回路２５を備えており、また、操作部３１、インターフェース（ＩＦ）３２、リモートコントローラ３３、受信部３４、ネットワークインターフェース（ＩＦ）３５及び制御部３６を備えている。そして、チューナー１１〜映像出力回路２０、音声出力回路２２、特徴抽出・比較・検出回路２４、ＥＰＧ処理回路２５及び制御部３６はバス３７を介して接続されており、制御部３６により回路全体が制御されている。制御部３６は、ＣＰＵ３６１、ＣＰＵ３６１が実行すべきプログラムや固定データなどが書き込まれたＲＯＭ３６２及びＣＰＵ３６１のワークエリアなどとして機能するＲＡＭ３６３によって構成されている。操作部３１及びリモートコントローラ３３は、通常のテレビのキーの他に、キーワード等を入力するためのキー等（図示せず）が設けられているものとする。ネットワークインターフェース３５はネットワーク４０を介してサーバ４１との間で、データ等の授受を行うことができるように構成されており、特に、本実施形態１においてはキーワードに対応した参照画像の画像データをサーバ４１からダウンロードする処理がなされる。なお、本実施形態１の特徴抽出・比較・検出回路２４及び制御部３６は本発明の制御手段を構成している。
【００１３】
図１のデジタル放送受信装置１において、利用者が操作部３１又はリモートコントローラ３３を操作して見たいチャンネルを選択すると、そのチャンネルに相当する選局信号が発生し、制御部３６はその選局信号をインターフェース３２又は受信部３４及びバス３７を介して受信し、制御部３６がその選局信号に基づいて例えばチューナー１１に選局信号を出力することによりチューナー１１にそのチャンネルが設定される。アンテナ１０は、周波数変換器を備えており、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナー１１に出力する。チューナー１１は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ（ＤＥＭＵＸ）１３は、前記トランスポート・ストリームを、ＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームを映像信号処理回路１５に出力し、オーディオストリームを音声信号処理回路１７に出力する。
【００１４】
映像信号処理回路１５はビデオデコーダ等を内蔵しており、入力された可変長符号を復号して量子化係数や動きベクトルを求め、逆ＤＣＴ変換や動きベクトルに基づく動き補償制御等を行って描画処理回路１８に出力する。描画処理回路１８は、映像信号処理回路１１５及びＣＰＵ３６１から出力指示された文字情報や色情報に基づく映像信号（映像データ）を生成する回路であり、フレームメモリ１９にフレーム画像（偶数フィールド画像、奇数フィールド画像）を描画し、フレーム画像の映像信号を映像出力回路２０に出力する。映像出力回路２０は、描画処理回路１８からのフレーム画像の映像信号を受け取ってＤ／Ａ変換を行い、例えばコンポジット映像信号に変換して表示デバイス２１に出力し、表示デバイス２１はその映像信号による映像を表示する。
【００１５】
音声信号処理回路１７はオーディオデコーダ等を内蔵しており、入力された符号化信号を復号して音声信号（音声データ）を生成し、更に、その音声信号をＤ／Ａ変換し、例えば右（Ｒ）音のアナログ信号及び左（Ｌ）音のアナログ信号を生成して音声出力回路２２に出力する。音声出力回路２２は右（Ｒ）音及び左（Ｌ）音のアナログ信号を増幅してスピーカー２３に出力し、スピーカー２３から音声が得られる。
【００１６】
チューナー１２、デマルチプレクサ（ＤＥＭＵＸ）１４、映像信号処理回路１６の構成は、上述のチューナー１１、デマルチプレクサ１３、映像信号処理回路１５と同じであるが、チューナー１２は制御部３６により裏番組のチャンネルに相当する選局信号が供給されて、そのチャンネルが設定される。デマルチプレクサ１４は、チューナー１２により選択されたトランスポート・ストリームを、ＭＰＥＧ２のビデオストリーム、オーディオストリーム、及びＰＳＩ／ＳＩ等に分離し、ビデオストリームを映像信号処理回路１６に出力し、ＰＳＩ／ＳＩをＥＰＧ処理回路２５に出力する。映像信号処理回路１６は、入力された可変長符号を復号して量子化係数や動きベクトルを求め、逆ＤＣＴ変換や動きベクトルに基づく動き補償制御等を行って特徴抽出・比較・検出回路２４に出力する。特徴抽出・比較・検出回路２４は、映像信号処理回路１６からの映像に制御部３６に設定された映像（参照画像）が含まれていないかどうかを判断し、含まれている場合には、制御部３６を介してその旨を表示デバイス２１に表示させるための処理を行う。また、ＥＰＧ処理回路２５は、入力してきたＰＳＩ／ＳＩの内、ＥＰＧ（電子番組表）の情報を内蔵するメモリ（図示せず）に格納しておいて、ユーザーが設定したキーワードに類似する番組を検索し、類似する番組があれば、制御部３６を介してその旨を表示デバイス２１に表示させるための処理を行う。なお、これらの特徴抽出・比較・検出回路２４及びＥＰＧ処理回路２５の処理の詳細は後述する。
【００１７】
図２はユーザーが予めキーワード登録を行うためのＧＵＩ（グラフィカル・ユーザー・インターフェース）の一例を示した図である。キーワードの入力には、予め用意してあるキーワード一覧からユーザーに選択させる方式や、ソフトウェアボード等によりユーザーに直接入力させる方法が望ましい。何れも場合においても、リモートコントローラ３３（又は操作部３１）の操作により入力されて、ＲＡＭ３６３の所定の領域に記憶される。
【００１８】
図３は図１のデジタル放送受信装置の一連の動作を示したフローチャートである。
ＣＰＵ３６１はキーワードが登録済みであるかどうかを判断する（Ｓ１１）。これはＲＡＭ３６１の所定の領域にキーワードが記憶されているかどうかに基づいて判断される。次に、ＣＰＵ３６１は、ネットワークインターフェース３５及びネットワーク４０を介してデータベース４１にアクセスして、上記にて設定されたキーワードに対応する参照画像の画像データをダウンロードしてＲＡＭ３６３に記憶する（Ｓ１２）。ＣＰＵ３６１は、ＥＰＧ処理回路２５により得られたＥＰＧ情報を使用して、現在放送されている番組の中から、キーワードに関係する全てのチャンネルを検索し、該当するチャンネルをＲＡＭ３６３に記憶する（Ｓ１３）。ここで、例えば、該当するチャンネルがＮ個あった場合には、それらをＣ＝１〜Ｎとする。
【００１９】
ＣＰＵ３６１は、先ず、Ｃ＝１と設定し（Ｓ１４）、そのＣ＝１に相当するチャンネルの番組の放映時間が終わっているかどうかを判断し（Ｓ１５）、終わっていれば上記の処理（Ｓ１３）に戻るが、終わっていなければ、検索したチャンネル（ＣＨ）に切り替えるべく該当する選局信号をチューナー１２に出力する（Ｓ１６）。チューナー１２はその選局信号に基づいてチャンネルのランスポート・ストリームを選択してデマルチプレクサ１４に出力する。デマルチプレクサ１４は、チューナー１２により選択されたトランスポート・ストリームを、ＭＰＥＧ２のビデオストリーム、オーディオストリーム、及びＰＳＩ／ＳＩ等に分離し、ビデオストリームを映像信号処理回路１６に出力し、ＰＳＩ／ＳＩをＥＰＧ処理回路２５に出力する。映像信号処理回路１６は、入力された可変長符号を復号して量子化係数や動きベクトルを求め、逆ＤＣＴ変換や動きベクトルに基づく動き補償制御等を行って、数フレーム分の映像データをメモリ１６ａに記憶する（Ｓ１７）。特徴抽出・比較・検出回路２５は、メモリ１６ａに記憶された映像データ（フレーム画像）と、ＲＡＭ３６３に格納された参照画像の画像データとのマッチング処理を行う（Ｓ１８）。
【００２０】
特徴抽出・比較・検出回路２５は、マッチング処理の結果、認識結果が一致している（ＯＫ）かどうか（映像データ（フレーム画像）に参照画像が含まれているかどうか）を判断し（Ｓ１９）、一致していない（含まれていない）場合にはＣ＝Ｎであるかどうかを判断し（Ｓ２０）、Ｃ＝Ｎではない、即ち、最後のチャンネルではないという判断をした場合には、Ｃ＝Ｃ＋１として計数Ｃを１個進めて（Ｓ２１）、上記の処理（Ｓ１５）の処理に移行する。また、特徴抽出・比較・検出回路２５が、マッチング処理の結果、認識結果が一致しているという判断をした場合には、ＣＰＵ３６１はその結果を受け取って、描画処理回路１８に出力し、描画処理回路１８に内蔵するＯＳＤ回路（図示せず）によりＯＳＤ処理をさせてキーワードに対応したアイコン及びチャンネルの画像をフレームメモリ１９に描画させ、映像出力回路２０を介して表示デバイス２１に表示させてユーザーに知らせる（Ｓ２２，図４参照）。そして、ＣＰＵ３６１はＣ＝Ｎであるかどうかを判断し（Ｓ２３）、Ｃ＝Ｎではない、即ち、最終のチャンネルではないという判断をした場合には、Ｃ＝Ｃ＋１として計数Ｃを１個進めて（Ｓ２４）、上記の処理（Ｓ１５）の処理に移行する。また、上記の判断（Ｓ２０，Ｓ２３）において、Ｃ＝Ｎであるという判断をした場合には、処理（Ｓ１４）に戻って、Ｃ＝１と設定して、Ｎ個のチャンネルの検索を再び開始する。
【００２１】
図４はキーワードに対応する参照画像と一致した映像が放映されているときの表示デバイスの表示態様を示した説明図である。表示デバイス２１にはチューナー１１により選局された番組のＴＶ映像が表示されており、上記の処理（Ｓ１６〜１８）によりキーワードに関連する映像が現在放送されていると判断されると、同図に示されるように、キーワードに対応するアイコン２１ａ及びそのときのチャンネル２１ｂが表示される。この表示により、ユーザーは、リモートコントローラ３３を操作し、チューナー１１をそのチャンネルに切り替えて表示デバイス２１に表示させ、キーワードに関連する映像を楽しむことができる。例えば野球の番組を表示デバイス２１に表示させておいて、キーワードとして登録された特定の歌手の映像が放送されると、上記のアイコン２１ａとチャンネル２１ｂが表示されることで、ユーザーがその歌手の映像を見たいと思ったときにはチャンネルを切り替える操作をすることにより、その歌手のテレビ映像を見ることができる。
【００２２】
次に、上記の処理の内、マッチング処理の関係について更に詳細に説明する。
図５は図１のデータベース４１を概念的に示した説明図である。データベース４１にはキーワードに対応した参照画像の画像データが格納されており、テレビジョン受信機１からキーワードが送信されて来ると、キーワードに対応した参照画像の画像データをテレビジョン受信機１に送信する。そして、特徴抽出・比較・検出回路２４は、その参照画像と入力映像とのマッチング処理を行う。
【００２３】
図６は上記のマッチング処理の流れを示したフローチャートであり、図７は走査方法の説明図、図８は前処理の例を示した説明図、図９は特徴抽出の説明図である。特徴抽出・比較・検出回路２４は、映像信号処理回路１６からの映像信号を入力する（Ｓ３１）。
この映像信号の入力は、図７に示されるように、入力映像（入力パターン）上の参照画像（参照パターン）に対応する領域４２を横方向及び縦方向に順次移動（走査）し、当該領域４２の入力映像（入力パターン）の画像データを順次切り出して行う。そして、特徴抽出・比較・検出回路２４は、入力した映像信号について前処理をする（Ｓ３２）。この前処理とは、図８に示されるように、認識過程を容易にするために前もって行う処理であり、２値化、雑音除去などが行われる。また、必要に応じて大きさを揃えるための拡大・縮小、濃度に対する正規化を行う。そして、その正規化された映像の特徴を抽出する（Ｓ３３）。これは、図９に示されるように、マッチングに用いられる画像の図形の特徴を数値化して特徴量として表現する処理をいう。例えば、図９に示されるように、顔の各部位の大きさやその間隔等を数値化する。次に、特徴抽出・比較・検出回路２４はマッチング処理をするが（Ｓ３４）、これは入力映像（入力パターン）と参照画像（参照パターン）の特徴量からなんらかの評価式を用いて類似度を計算するデータ処理解析を行うものであり、例えば
入力映像の特徴量をＸ＝（Ｘ１，Ｘ２，Ｘ３，…Ｘｎ）
参照画像の特徴量をＴ＝（Ｔ１，Ｔ２，Ｔ３，…Ｔｎ）
とすると、次式による類似度ｄ算出して、類似度ｄが所定の値よりも小の時にはマッチングしていると判断する（Ｓ３５）。
【００２４】
【数１】
2006080862.tif 000003
【００２５】
以上のように本実施形態においては、キーワードと関連する番組を選択し、更に、その選択された番組の現在の映像の中に、キーワードに関連する映像が含まれているかどうかを検索し、その映像が含まれている場合にはその旨を表示デバイスに表示させるようにしたので、裏番組においてキーワードに関連する映像が放送されていることを把握することができ、その時点でチャンネルを切り替えることによりその映像を楽しむことができる。
【００２６】
実施形態２．
なお、上記の実施形態１においては、キーワードと関連する番組を選択し、更に、その選択された番組の現在の映像の中に、キーワードに関連する映像が含まれているときに、その旨を表示デバイスに表示させるようにした例について説明したが、例えばキーワードと関連する番組がＥＰＧ情報から現在放送されていると判断したときに、その旨（アイコン・チャンネル）を表示させてユーザーに知らせるようにしてもよい。
【００２７】
また、上記の実施形態１においては、キーワードが１個の例について説明したが、複数のキーワードを設定して、それらのキーワードに関連する番組及びその映像を同時に検索して該当するものがあれば、表示デバイス２１に表示させるようにしてもよい。その場合には、アイコンの形態をキーワードに対応させたものにすることにより識別できるようにする。
【００２８】
また、上記の実施形態１においては、キーワードに関連する参照画像の画像データをデータベースから取り込むようにした例について説明したが、データベースから取り込んだ後、その参照画像の画像データを不揮発性の記憶装置に記憶しておいて、次回の利用に供するようにしてもよい。例えば、その不揮発性の記憶装置を検索して該当するものがない場合に、データベースから取り込むようにする。このようにすることで、ネットワークを利用しないで済み、処理時間の短縮化が図られる。
【００２９】
また、上記の実施形態１においては、キーワードに関連する映像が放送されているときにその旨を表示デバイス２１に表示させる例について説明したが、例えばＣＰＵ３６１によりチューナー１１にその映像の番組の選局信号を送信してチャンネル１１を自動的に切り替えさせて、表示デバイス２１にその番組のＴＶ映像を表示させるようにしてもよい。
【００３０】
また、上記の実施形態１においては、放送中と映像から参照画像に相当する映像の有無を検出する処理を特徴抽出・比較・検出回路２４にて行う例について説明したが、例えば制御部３６によりその処理を行わせるようにしてもよい。
【図面の簡単な説明】
【００３１】
【図１】本発明の実施形態１に係るデジタル放送受信装置の構成を示すブロック図。
【図２】キーワードを入力する際にＧＵＩの説明図。
【図３】図１のデジタル放送受信装置の処理過程を示したフローチャート。
【図４】データベースの概念図。
【図５】表示デバイスの表示例を示した説明図。
【図６】マッチング処理の処理過程を示したフローチャート。
【図７】マッチング処理における走査方法の説明図。
【図８】マッチング処理における前処理の説明図。
【図９】マッチング処理における特徴抽出処理の説明図。
【符号の説明】
【００３２】
１１，１２ チューナー、１３，１４ デマルチプレクサ、１５，１６ 映像信号処理回路、１８ 描画処理回路、１９ フレームメモリ、２０ 映像出力回路、２１ 表示デバイス、２２ 音声出力回路、２３ スピーカー、２４ 特徴抽出・比較・検出回路、２５ ＥＰＧ処理回路、３５ ネットワークインターフェース、３６ 制御部、４１ データベース。
【図１】
2006080862.tif 000004
【図２】
2006080862.tif 000005
【図３】
2006080862.tif 000006
【図４】
2006080862.tif 000007
【図５】
2006080862.tif 000008
【図６】
2006080862.tif 000009
【図７】
2006080862.tif 000010
【図８】
2006080862.tif 000011
【図９】
2006080862.tif 000012